(57)【要約】      （修正有）【課題】ピストン部の揺れ動きがなく摺動抵抗の少ないトリガー式ポンプディスペンサを提供する。【解決手段】容器に取り付け可能なポンプディスペンサであって、シリンダ部２と、該シリンダ部内に摺動自在なピストン構造体１と、該シリンダ部２に装着されたハウジング部５と、ハウジング部５に一体形成された取っ手部５Ａと、ハウジング部２に枢着され、クランク部３を介してピストン構造体１に連結されるレバー部と、シリンダ部２を容器本体に取り付けるためのキャップとを備え、ピストン構造体１は屈曲自在な長尺ノズル部１２とピストン部１１とが一体化してなっており、レバー部を引き下げて取っ手部５Ａに近づけることにより、クランク部３を介してピストン部１１を引き下げシリンダ部内に圧を加えて長尺ノズル部１２を通して液を吐出させるポンプディスペンサ。【選択図】図３（Ａ）
2010184182.tif 000002
【特許請求の範囲】
【請求項１】
容器に取り付け可能なポンプディスペンサであって、
シリンダ部と、
該シリンダ部内に摺動自在なピストン構造体と、
該シリンダ部に装着されたハウジング部と、ハウジング部に一体形成された取っ手部と、
ハウジング部に枢着され、クランク部を介してピストン構造体に連結されるレバー部と、
シリンダ部を容器本体に取り付けるためのキャップと、を備え、
ピストン構造体は屈曲自在な長尺ノズル部とピストン部とが一体化してなっており、
レバー部を引き下げて取っ手部に近づけることにより、クランク部を介してピストン部を引き下げシリンダ部内に圧を加えて長尺ノズル部を通して液を吐出させることを特徴とするポンプディスペンサ。
【請求項２】
クランク部の一方端がピストン部に枢着され他方端がレバー部に枢着されていることを特徴とする請求項１記載のポンプディスペンサ。
【請求項３】
取っ手部がハウジング部に一体に形成されていることを特徴とする請求項１記載のポンプディスペンサ。
【請求項４】
レバー部がその先端にヒンジ部を介して安全片を備え、該安全片が取っ手部に掛止可能となっていることを特徴とする請求項２又は３記載のポンプディスペンサ。
【請求項５】
セカンドバルブがピストン内に装着可能なバルブケース部に設けられていることを特徴とする請求項４記載のポンプディスペンサ。
【請求項６】
取っ手部がレバー部の真下に位置するように設けられ、レバー部は、取っ手部に当接することにより、引き下げが停止されものであることを特徴とする請求項５記載のポンプディスペンサ。
【請求項７】
ピストンを上方に付勢するためのスプリングがシリンダとピストン部の間に装着されていることを特徴とする請求項１記載のポンプディスペンサ。
【請求項８】
取っ手部がハウジング部の代わりに容器に一体に形成されていることを特徴とする請求項１記載のポンプディスペンサ。
【発明の詳細な説明】
【技術分野】
【０００１】
本発明は、容器に取り付けて中に収容された液を吐出させるためのポンプディスペンサに関する。
【背景技術】
【０００２】
今日、容器に取り付けて収容された液を勢いよく吐出させる器具としてポンプディスペンサが知られている。
ポンプディスペンサは、通常、ピストン及びシリンダを備えており、ピストンを移動させることでシリンダ内に圧が加わり液が吐出される。
そして、このポンプディスペンサはピストンの駆動のさせ方により数種類に大別されており、その一つにトリガー式ポンプディスペンサがある。（特許文献１参照）。
【０００３】
トリガー式ポンプディスペンサの前面にはトリガーに相当する作動レバーが設けられており、これを手で握り込んで手前に移動させると、そのことに連動してピストンが移動し、シリンダ内の液圧が高まる。
その結果、ノズルから液が勢いよく吐出される。
【先行技術文献】
【特許文献】
【０００４】
【特許文献１】特開昭５３−３６７１４号公報
【特許文献２】特願２００７−２６２７５８号
【発明の概要】
【発明が解決しようとする課題】
【０００５】
ところで、このトリガー式ポンプディスペンサにおいては、ノズルと、ピストンとは一体化しているため、トリガーを握りこんだ際にピストンの移動と共にノズルも下方に移動してしまう。
そのためトリガー式ポンプディスペンサには、目標とする場所に液を正確に吐出させられないという問題があった。
【０００６】
また、トリガー式ポンプディスペンサのトリガーを引き込む場合、トリガー式ポンプディスペンサの周囲全体を握って行わなければならない。
そのため手の小さい子供等が扱う場合は、トリガーを握る状態が浅くなり、力を入れ難くなる。
４本（或いは人によっては３本）の指を使い手全体の握力を使うため、ポンプディスペンサ本体の周囲に液剤等が付着している場合は、それが手に付いて汚れる。
このような問題を解決するために、本発明者は、トリガーと取っ手とを同時に握れるように両者をハウジング部の後方に設けた構造を持ち、ノズルの位置も上下に移動せず、また手の小さい人にも簡便に扱うことができるトリガー式ポンプディスペンサを開発した（特許文献２参照）。
しかし、このトリガー式ポンプディスペンサは確かに優れてはいるが、ノズル部をシリンダ部に組み込む構造が複雑である。またピストン部に対して直接トリガー部を取り付けるのでどうしてもピストン部が左右に揺れ動き摺動抵抗が増す傾向がある。
【０００７】
本発明は上記のような技術的問題点を背景になされたものである。
すなわち、ピストン部の揺れ動きがなく摺動抵抗の少ないトリガー式ポンプディスペンサを提供することを目的とする。更には、液を吐出させる際にノズルの位置が上下に移動せず、また手の小さい人にも簡便に扱うことができるポンプディスペンサを提供することを目的とする。
【課題を解決するための手段】
【０００８】
本発明者らは、上記課題を解決するため鋭意検討したところ、トリガーをピストン部を上下移動させる場合、トリガーをピストン部に直接取り付けるのではなく、間接的に取り付けることにより、上記課題を解決し得ることを見出し、本発明を完成するに至った。
【０００９】
すなわち、本発明は、（１）、容器に取り付け可能なポンプディスペンサであって、シリンダ部と、該シリンダ部内に摺動自在なピストン構造体と、該シリンダ部に装着されたハウジング部と、ハウジング部に一体形成された取っ手部と、ハウジング部に枢着され、クランク部を介してピストン構造体に連結されるレバー部と、シリンダ部を容器本体に取り付けるためのキャップと、を備え、ピストン構造体は屈曲自在な長尺ノズル部とピストン部とが一体化してなっており、レバー部を引き下げて取っ手部に近づけることにより、クランク部を介してピストン部を引き下げシリンダ部内に圧を加えて長尺ノズル部を通して液を吐出させるポンプディスペンサに存する。
【００１０】
また本発明は、（２）、クランク部の一方端がピストン部に枢着され他方端がレバー部に枢着されている上記（１）記載のポンプディスペンサに存する。
【００１１】
また本発明は、（３）、取っ手部がハウジング部に一体に形成されている上記（１）記載のポンプディスペンサに存する。
【００１２】
また本発明は、（４）、レバー部がその先端にヒンジ部を介して安全片を備え、該安全片が取っ手部に掛止可能となっている上記（２）又は（３）記載のポンプディスペンサに存する。
【００１３】
また本発明は、（５）、セカンドバルブＳＶがピストン内に装着可能なバルブケース部に設けられている上記（４）記載のポンプディスペンサに存する。
【００１４】
また本発明は、（６）、取っ手部がレバー部の真下に位置するように設けられ、レバー部は、取っ手部に当接することにより、引き下げが停止されものである上記（５）記載のポンプディスペンサに存する。
【００１５】
また本発明は（７）、ピストンを上方に付勢するためのスプリングがシリンダとピストン部の間に装着されている上記（１）記載のポンプディスペンサに存する。
【００１６】
また本発明は（８）、取っ手部がハウジング部の代わりに容器に一体に形成されている上記（１）記載のポンプディスペンサ。
【００１７】
なお、本発明の目的に添ったものであれば上記（１）から（８）を適宜組み合わせた構成も採用可能である。
【発明の効果】
【００１８】
本発明のポンプディスペンサは、シリンダ部と、該シリンダ部内に摺動自在なピストン構造体と、該シリンダ部に装着されたハウジング部と、ハウジング部に一体形成された取っ手部と、ハウジング部に枢着され、クランク部を介してピストン構造体に連結されるトリガー部と、シリンダ部を容器本体に取り付けるためのキャップと、を備え、ピストン構造体は屈曲自在な長尺ノズル部とピストン部とが一体化してなっており、トリガー部を引き下げて取っ手部に近づけることにより、クランク部を介してピストン部を引き下げシリンダ部内に圧を加えて長尺ノズル部を通して液を吐出させるものであるから、ピストン部の左右の揺れ動きが防止される。
その結果、シリンダー部に対するピストンの摺動抵抗が大きく減少する。
また、ピストン部を上下移動させても吐出口の位置は変化しない。
その結果、本発明のポンプディスペンサは、容器に収容された液を高い精度で目標とする場所に向かって吐出させることができる。
【図面の簡単な説明】
【００１９】
【図１】図１は、本実施形態の容器に取り付けたポンプディスペンサの外観図である。
【図２（Ａ）】図２（Ａ）は、本実施形態のポンプディスペンサの正面図である。
【図２（Ｂ）】図２（Ｂ）は、本実施形態のポンプディスペンサの左側面図である。
【図２（Ｃ）】図２（Ｃ）は、本実施形態のポンプディスペンサの右側面図である。
【図２（Ｄ）】図２（Ｄ）は、本実施形態のポンプディスペンサの平面図である。
【図３（Ａ）】図３（Ａ）は、本実施形態のポンプディスペンサの断面図であり、トリガー部が押し下げられる前の状態を示す。
【図３（Ｂ）】図３（Ｂ）は、本実施形態のポンプディスペンサの断面図であり、トリガー部が押し下げられた後の状態を示す。
【図４】図４は、本実施形態のポンプディスペンサの断面図であり、トリガー部が押し下げられてロックされた状態を示す。
【図５】図５は、本実施形態の取っ手部を有する容器に取り付けたポンプディスペンサの外観図である。
【発明を実施するための形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２１】
図１は、本発明のポンプディスペンサを容器に取り付けた状態の外観図である。
図１に示すように、本実施形態のポンプディスペンサＡは、取っ手部５Ａを握り、親指をトリガー部４に添えた状態で使用可能である。
そして、単に親指でトリガー部４を押し下げれば、シリンダ部２内に収容された液が圧を受けて、長尺ノズル部１２から吐出される。
【００２２】
図２は、本実施形態のポンプディスペンサであり、図２（Ａ）は正面図、図２（Ｂ）は左側面図、図２（Ｃ）は右側面図、図２（Ｄ）は平面図である。
【００２３】
図３（Ａ）は、本実施形態のポンプディスペンサの断面図であり、トリガー部が押し下げられる前の状態を示し、図３（Ｂ）は、トリガー部が押し下げられた後の状態を示す。
【００２４】
また図４は、ポンプディスペンサのトリガー部の先端の安全片が、取っ手部に掛止された状態（ロック状態）を示す図である。
図３、図４に示すように、ポンプディスペンサＡは、ピストン構造体１と、シリンダ部２と、クランク部３と、トリガー部４と、ハウジング部５と、キャップ６とを備える。
ハウジング部５は取っ手部５Ａが一体に取り付けられている。
また、トリガー部４を復帰させるためのスプリング７や、液流路を開閉するために２つのバルブを備える。
バルブの１つは下方に位置するファーストバルブＦＶであり、他の一つは、それより上方に位置するセカンドバルブＳＶである。
【００２５】
まずシリンダ部２は、異なる径を有する多段筒状の形に形成されており、リブ付きの大径部２１と小径部２２とよりなる。
このシリンダ部２の大径部２１内をピストン構造体１が上下に摺動する。
ピストン構造体１は、ピストン部１１と該ピストン部１１より延出して一体化した屈曲自在な長尺ノズル部１２とよりなる。
ピストン構造体１のピストン部１１には、バルブケース１Ａが装着されており、該バルブケース１ＡにはセカンドバルブＳＶが装着されている。
また、バルブケース１Ａには横孔１Ａ１が形成されている。  
【００２６】
ピストン部１１の中にバルブケース１Ａ（セカンドバルブＳＶを備えている）を下方から押し込むだけでバルブケース１Ａは簡単にピストン部１１に取り付けられる。
バルブケース１Ａとシリンダ部２（詳しくはシリンダ部２の肩部）の間には、シリンダ部２を上方に付勢するためのスプリング７が装着されている。
この場合、スプリング７の上端はバルブケース１Ａの厚肉部に当接して上方に押し上げているため、バルブケース１Ａは抜けない。
【００２７】
またトリガー部４（後述するハウジング部５に枢着されている）はクランク部３を介してピストン構造体１（ピストン部１１と長尺ノズル部１２よりなる）に連結されている。
すなわち、クランク部３の一方端はピストン部１１に枢着され（枢着部Ｐ２）、他方端がトリガー部４に枢着されている（枢着部Ｐ３）。
詳しくは、ピストン部１１の上部（長尺ノズル部１２との境界部付近）に軸部１１Ａが突出しており、該軸部１１Ａにクランク部３の下端部３２が支持される。
そして、クランク部３の上端に円錐状の突起部３１が形成されており、該突起部３１にトリガー部４の円筒受け部４１が支持される。
【００２８】
また、シリンダ部２にはハウジング部５が装着されている。
詳しくは、ハウジング部５は中央に筒状基部５Ｂを有して、該筒状基部５Ｂがシリンダ部２の外側に装着される。
【００２９】
また、ハウジング部５にはトリガー部４が枢着され、トリガー部４は該枢着部（枢着部Ｐ１）を起点として上下方向に回動可能となっている。
詳しくは、トリガー部４の先に軸部４２が形成されており該軸部４２がハウジング部５に形成された図示しない孔部に挿入されている。
このような構造であるため、クランク部３のトリガー部４に枢着された他方端が揺れても、シリンダ部２に枢着された一方端で吸収されて、ピストン部１１自体の揺れが殆ど起きない。
シリンダ部２に対するピストン部１１の摺動抵抗が大きく軽減されるのである。
【００３０】
一方、キャップ６は、ポンプディスペンサＡを容器Ｂに取り付けるためのものであり、例えば螺合等により容器Ｂに取り付けられる。
キャップ６の上端部には内向きに掛止部が形成されており、シリンダ部２にはその掛止部に掛合されるリブが形成されている。
すなわちキャップ６を上方から容器本体の口部に取り付けることで、容器本体、シリンダ部２、及びキャップ６は相互に取り付けられる。
【００３１】
ハウジング部５の筒状基部５Ｂには、トリガー部４と協働してポンプディスペンサＡを持ち易くするための取っ手部５Ａが一体に形成されている。
取っ手部５ＡはＬ字状をしており、その形成場所はトリガー部４と同じ側、すなわち筒状基部５Ｂの後側でトリガー部４の真下の位置である。
そのため、取っ手部５Ａを握った際に親指を立ててトリガー部４の上に置くことが可能となる。トリガーを引き込む場合、取っ手部５Ａに４本（或いは人によっては３本）の指を引っ掛けた状態で親指をトリガー部の上から添えて下方に単に押し下げるだけでよい。
ポンプディスペンサ全体を握る必要はない。
トリガー部４を取っ手部５Ａを利用して容易に操作でき、手の小さい子供等も簡単に扱うことができる。
またハウジング部５が取っ手部５Ａと一体になっているので、取っ手の強固となる。
【００３２】
トリガー部４は引き下げて回動させた場合、取っ手部５Ａの一部に当接することにより停止される〔図３（Ｂ）〕。
またトリガー部４は、復帰のため上方へ回動するが、ハウジング部５に形成された図示しないストッパ部に当接することにより上方への回動が停止され、上限となる。
ところで、ピストン構造体１を引き下げるための、トリガー部４はその先端にヒンジ部を介して安全片４Ａを備えている。
【００３３】
該安全片４Ａは、その先端部に係止爪４Ａ１を備えており、該係止爪４Ａ1が取っ手部５Ａの底に形成された受け爪５Ａ１に係止することにより、取っ手部５Ａに掛止可能となっている。掛止された際は、トリガー部４が取っ手部（断面コ字状）５Ａに収納された状態で留まる。
トリガー部４は、ポンプディスペンサＡ自体より大きく突出しないので安全であり、また保管や運送上、スペースが少なくなる。
なお、この収納された状態では、トリガー部４は下死点よりやや下に位置する。
【００３４】
次に、ポンプディスペンサＡの作動について述べる。
取っ手部５Ａとトリガー部４とを握って、前述のように、トリガー部４が下方に押し下げられると、そのことに伴ってピストン部１１も下方に移動し、シリンダ部２内の液圧が高まる。
【００３５】
シリンダ部２内の液圧が高まると、セカンドバルブＳＶが開き、シリンダ部２と長尺ノズル部１２とが連通する。
そのため、液がシリンダ部２から長尺ノズル部１２へと流出し、長尺ノズル部１２の先から吐出される。  
この場合、ピストン部１が下方に移動しても長尺ノズル部１２が屈曲してピストン部１の上下移動を吸収するため、ノズル口１２Ａは動かず定位置にある。
ピストン部１１が下がりバルブケース１Ａがシリンダ部２の小径部２２に入り込むとバルブケース１Ａの底面で小径部２２が封鎖される。
この状態では、液通路が遮断されるので、衝撃等の何らかの原因でセカンドバルブＳＶが開いてもノズル口１２Ａからの液漏れが阻止される。
【００３６】
また、長尺ノズル部１２から空気がシリンダ部２や容器本体へ入ることが防止される。
なお、トリガー部４は押し下げられて取っ手部５Ａの側壁間の底に当接して止まるが、この位置がトリガー部４の下死点である〔図３（Ｂ）参照〕。
【００３７】
また、手を放してトリガー部４からの押圧力を開放すると、セカンドバルブＳＶが閉じた状態で、スプリング７の復帰力によりピストン部１１が上昇して元の位置に戻ろうとする。
そのためシリンダ部２内の圧が低下し、ファーストバルブＦＶが開き容器本体内の液が吸い上げられてシリンダ部２内に入ってくる。
トリガー部４の上方への復帰は、シリンダ部２とピストン部１１の間に装着されているスプリング７により行われる。
【００３８】
このスプリング７によって、トリガー部４には常に上向きの付勢力が加わり、トリガー部４に親指を掛けて押し下げても、親指を外せばトリガー部４は元の位置に自然に戻るのである。
上述したようにトリガー部４は下死点では、取っ手部５Ａの側壁間に収納された状態になる〔図３（Ｂ）参照〕。
そのためトリガー部４は、その動きの後半で取っ手部５Ａの側壁に沿って上下移動するため、横方向にぶれることがなく、安定した動きができる。
なお、容器本体内の液が減少するために容器本体内が負圧となり容器に凹み等が生じるが、ポンプディスペンサＡにはこれを解消するための図示しない負圧解消手段が備わっている。
【００３９】
以上のように、本発明においては、長尺ノズル部１２は、従来のポンプディスペンサとは異なり、ピストン部１１が屈曲自在なためそのノズル口１２Ａは、トリガー部４の運動に全く影響されなく一定の位置にできる。
トリガー部４が上下移動してもノズル口１２Ａの位置は変化しないので、その方向を的に向けて的確に定めることができる。
また、ピストン部１１の上下移動を屈曲自在な長尺ノズル部１２が吸収するので、長尺ノズル部自体の動きが小さい。
そのため、シリンダ部２上方の空間に大きく動く物がないため、空間が十分確保でき、クランク部３の動きに支障になることがない
【００４０】
トリガー部４がクランク部３を介してピストン構造体１に間接的に連結されているのでピストン部１１に揺れが生じにくい。
取っ手部５Ａがトリガー部４の下に位置しているので、液を吐出するためトリガーを引き込む場合、掴み易く、ポンプディスペンサＡ全体を握る必要はない。
図１に示したように、取っ手部５Ａに４本（或いは人によっては３本）の指を引っ掛けた状態で親指をトリガー部４の上に添えて、これを単に下方に押し下げるだけでよい。
そのため手の小さい子供等も簡単に扱うことができる。
更にポンプディスペンサＡ自体に液剤が付着している場合にも、手がポンプディスペンサ本体より離れているため汚れない。
【００４１】
以上、本発明をその一実施形態を例に説明したが、本発明は上述した実施形態のみに限定されるものではなく、種々の変形が可能である。
例えば、図５に示すようにハウジング部５の代わりに取っ手部５Ａを一体に形成することも可能である。
その場合には、取っ手部５Ａを容器Ｂとともにブロー成形ｆｒ形成することもでき、製造コスとが安価となる。
また、ノズル部の先端に公知のオリフィスやフォーマーを取り付けることで、液を霧状や泡状にして吐出させることができるようになる。
ハウジング部とトリガー部とはヒンジ部を介して一体となり枢着されていてもよい。
またハウジング部とキャップとを一体化することも可能である。
また、このポンプディスペンサは使用する液の汎用性が高いため、例えば、化粧品、液体洗剤、洗濯助剤、柔軟剤、シャンプー、ボディソープ、食器用洗剤等の収納容器に用いることが可能である。
【産業上の利用可能性】
【００４２】
本発明は、ピストン部の揺れ動きがなく摺動抵抗の少ないトリガー式ポンプディスペンサであり、また液を吐出させる際にノズルの位置が上下に移動せず、また手の小さい人にも簡便に扱うことができるポンプディスペンサである。
そのため、例えば当該発明の流体噴射原理を使用するものであれば、塗装用としての工業全般、或いは医療用器具等の分野に適用が可能である。
【符号の説明】
【００４３】
１・・・ピストン構造体
１１・・・ピストン部
１１Ａ・・軸部
１２・・・長尺ノズル部
１Ａ・・・バルブケース
１Ａ１・・・横孔
２・・・シリンダ部
２１・・・大径部
２２・・・小径部
３・・・クランク部
３１・・・円錐状の突起部
３２・・・下端部
４・・・トリガー部
４１・・・円筒受け部
４２・・・軸部
４Ａ・・・安全片
４Ａ１・・・係止爪
５・・・ハウジング部
５Ａ・・・取っ手部
５Ａ１・・・受け爪
５Ｂ・・・筒状基部
６・・・キャップ
７・・・スプリング
Ａ・・・ポンプディスペンサ
Ｂ・・・容器
ＦＶ・・・ファーストバルブ
ＳＶ・・・セカンドバルブ
Ｐ１・・・枢着部
Ｐ２・・・枢着部
Ｐ３・・・枢着部
【図１】
2010184182.tif 000003
【図２（Ａ）】
2010184182.tif 000004
【図２（Ｂ）】
2010184182.tif 000005
【図２（Ｃ）】
2010184182.tif 000006
【図２（Ｄ）】
2010184182.tif 000007
【図３（Ａ）】
2010184182.tif 000008
【図３（Ｂ）】
2010184182.tif 000009
【図４】
2010184182.tif 000010
【図５】
2010184182.tif 000011